(57)【特許請求の範囲】
【請求項１】
光スイッチを用いた光切替装置において、
電力を供給する電源と、
前記電源からの電力の供給を受けて前記光スイッチを切り換え、又は前記電源からの雑音を受けて光スイッチを切り換える場合がある光スイッチ駆動部と、
前記電源がオン状態となったことを検出し前記光スイッチを任意の初期状態に設定することで、前記雑音による光スイッチの切り替えが生じた場合に前記光スイッチの接続状態を制御する制御部とを有することを特徴とする光切替装置。
【請求項２】
少なくとも1つの光スイッチと、
前記光スイッチを駆動する光スイッチ駆動部と、
前記光スイッチ駆動部に電力を供給する電源と、
前記光スイッチから出力された光信号を増幅する光増幅器と、
コントローラとからなり、
前記コントローラは、前記電源がオンとなり、かつ前記光スイッチが稼働状態となる前に、前記光増幅器の増幅作用を停止させた後、前記光スイッチに制御信号を送出して前記光スイッチを所定の初期状態に設定し、
その後、前記光スイッチの稼動が開始された後、前記光増幅器の増幅作用を開始するよう制御信号を出力することを特徴とする光切替装置。
【請求項３】
少なくとも1つの光スイッチと、
前記光スイッチを駆動する光スイッチ駆動部と、
前記光スイッチ駆動部に電力を供給する電源と、
前記光スイッチの状態を記憶する不揮発性記憶手段と、
コントローラとからなり、
前記コントローラは、前記電源がオンとなり、かつ前記光スイッチが稼働状態となる前に、前記不揮発性記憶手段が最後に記憶した前記光スイッチの状態信号を読み出し、前記状態信号に基づいて前記光スイッチに制御信号を送出し、前記光スイッチを前記不揮発性記憶手段が最後に記憶した前記光スイッチの状態に設定するよう制御信号を出力することを特徴とする光切替装置。
【請求項４】
光切替装置における光スイッチの設定方法であって、
前記光スイッチを駆動する駆動部に電力を供給する電源をオンにするステップと、
前記光スイッチが稼働状態となる前に、前記光スイッチからの出力を増幅する光増幅器の増幅作用を停止するステップと、
前記光スイッチに制御信号を送出するステップと、
前記制御信号を用いて前記光スイッチを所定の初期状態に設定するステップと、
前記光スイッチが稼働状態となった後に、前記光増幅器の増幅作用を開始するステップとを含むことを特徴とする光スイッチの設定方法。
【請求項５】
光切替装置における光スイッチの設定方法であって、
前記光スイッチを駆動する駆動部に電力を供給する電源をオンにするステップと、
前記光スイッチが稼働状態となる前に、前記不揮発性記憶手段が最後に記憶した前記光スイッチの状態信号を読み出すステップと、
前記状態信号に基づく制御信号を光スイッチに送出するステップと、
前記制御信号を用いて前記光スイッチを前記不揮発性記憶手段が最後に記憶した前記光スイッチの状態に設定するステップとを含むことを特徴とする光スイッチの設定方法。
【発明の詳細な説明】
【０００１】
【発明の属する技術分野】
本発明は光切替装置及びその制御方法に関し、特に電源オン、オフ時の光切替装置制御方法及び該光切替装置制御方法により光伝送路の切替を行う光切替装置に関する。
【０００２】
【従来の技術】
近年、インターネットやＣＡＴＶ等に代表される所謂マルチメディアを社会に広く浸透させるための情報インフラストラクチャの整備が進められている。こうした高度情報化社会構築ためには１ユーザー当たりの情報伝送量を現在より飛躍的に増加させる必要がある。このため長距離・大容量伝送を行なう公衆通信網幹線系には広帯域・低損失伝送可能な光ファイバネットワークが導入されている。この幹線系光ファイバネットワークでは１ファイバ当たり毎秒１０Ｇｂｉｔに達するデータが伝送されることもある。柔軟且つ高信頼な光ネットワーク構築のためには、障害復旧や帯域管理が重要であるが、このための信号切替を電気信号で行うと装置の大規模化を招く。このため、光信号を電気信号に変換することなく、光信号のまま切替を行う光切替装置の研究開発が活発化している。
【０００３】
従来の光切替装置は、光スイッチと、光スイッチを駆動する駆動部と、駆動部に電力供給する電源部からなる。本従来例によれば、光信号や光伝送路の監視情報、または帯域管理のための光信号経路変更情報に基づいて光スイッチを駆動し、光入出力の接続状態を変更できる。このような光切替装置として、１９９６年電子情報通信学会通信ソサイエティ大会、講演論文集、Ｂ−１０８３、５６８頁に記載のものが知られている。またここで利用できる光スイッチとして、例えば、１９９３年電子情報通信学会技術研究報告、ＯＣＳ９３−５５、６７頁に記載の自己保持型の機械式光スイッチや、１９９７年電子情報通信学会エレクトロニクスソサイエティ大会、講演論文集、Ｃ−３−１３６、２４５頁に記載の自己保持型でない導波路式光スイッチが知られている。前述の光スイッチのうち、自己保持型の機械式光スイッチは永久磁石により接続状態を保持するため、電力供給が必要なのは切替時のみであり、状態を保持するための外部電力供給を必要としない。従って、光スイッチを大規模化した場合に消費電力を抑制できる点で、光切替装置用の光スイッチとして有力候補である。
【０００４】
【発明が解決しようとする課題】
しかしながら、上述の自己保持型の光スイッチを光切替装置に適用する場合、その動作原理に起因する問題が発生する。すなわち、装置立ち上げや停電等に伴う電源オン、オフに起因して発生する雑音により駆動回路が誤動作する。誤動作した駆動回路は、数１０マイクロ秒から数百ミリ秒程度の誤った光スイッチ切替信号を発生し、光スイッチの状態を不本意に変化させる可能性がある。ファイバ１本当たり毎秒ギガビットの信号を伝送する光ネットワークに用いられる光切替装置では、光スイッチの誤接続は甚大な被害をもたらすため、光スイッチの接続状態を確実に所定の状態に設定することが可能な信頼性の高い光切替装置が必要とされていた。
【０００５】
本発明の目的は、上記課題に鑑み、光スイッチの接続状態を確実に所定の状態に設定することが可能な光切替装置及びその制御方法を提供することにある。
【０００６】
【課題を解決するための手段】
本発明によれば前記目的は、光スイッチを駆動する駆動回路の電源がオン状態となった後に、該光スイッチの全てが必ず所定の状態に設定されるよう光切替装置を構成することにより実現される。このとき光切替装置は、少なくとも、光スイッチと、該光スイッチの状態を変更するための状態変更手段と、該状態変更手段に電力を供給する電源部とで構成するとともに、該電源部が電源オンとなった後に、光切替装置が稼働状態となる前に全ての該光スイッチの状態を所定の初期状態に設定するよう光スイッチを制御することにより達成される。
【０００７】
【発明の実施の形態】
以下、図面を参照して本発明の実施の形態を説明する。
図１は本発明による光切替装置制御方法の第１の実施例である。図１において、該光切替装置制御方法では、光スイッチを駆動する駆動回路の電源がオンとなった後、該光スイッチを所定の初期状態となるよう設定し、その後、光スイッチを稼働状態として、伝送路情報や帯域管理あるいは保守情報に基づいて光スイッチを制御する。ここで、光スイッチの所定の初期状態への設定とは、制御対象となる全ての光スイッチに制御信号を送出することにより、全光スイッチを同一の状態にすること、あるいは駆動回路の電源がオフとなる直前の光スイッチの状態にすること、あるいは、全光スイッチをそれぞれ任意の状態に設定することを意味する。光スイッチの稼働状態とは、伝送路情報や帯域管理あるいは保守情報に基づいて個別に光スイッチを制御する状態を意味する。このとき全光スイッチに対して制御信号を送出する必要はない。本発明によれば、電源のオン、オフに伴って駆動回路から発生する雑音に起因する誤った制御信号により光スイッチに不本意な状態変化があった場合でも、光スイッチを任意の初期状態に設定できるので、光スイッチが稼働状態となった際に、確実に所望の光スイッチ接続状態を実現できる。
【０００８】
図２は、本発明による光切替装置の第１の実施例として光クロスコネクト装置の場合について説明する。図２において光クロスコネクト装置１は、光スイッチ駆動回路２と、電源３と、光スイッチ４と、コントローラ５を備えている。コントローラ５は電源３がオン状態になったことを検出し、光スイッチ駆動回路２に初期状態設定制御信号を送出する。光スイッチ駆動回路２では、コントローラ５からの制御信号により、光スイッチ４の全てを任意の初期状態に設定する。本発明によれば、図１に示した本発明による光スイッチ制御方法により光スイッチを制御するので、電源３のオン、オフに伴う雑音に起因して光スイッチ駆動回路２から誤った制御信号が送出され光スイッチ４に不本意な状態変化があった場合でも、光スイッチが稼働状態となる前に、全ての光スイッチを任意の初期状態に設定できる。従って、光スイッチが稼働状態となった際に、確実に所望の光スイッチ接続状態を実現できる。以下、光切替装置の第２、第３及び第４の実施例についても、光クロスコネクト装置の場合について説明する。しかし、本発明は光クロスコネクト装置に限定されるものではなく、光伝送システムに利用される光スイッチを備えた装置、例えば光挿入分離多重化装置や、光予備切替装置にも適用可能であることは言うまでもない。
【０００９】
図３は、本発明による光切替装置の第２の実施例である。図３において光クロスコネクト装置１は、光スイッチ駆動回路２と、電源３と、光スイッチ４を備えている。電源３がオン状態になった後、コントローラ５をマニュアル操作し、光スイッチ駆動回路２に初期状態設定制御信号を送出する。光スイッチ駆動回路２では、コントローラ５からの制御信号により、光スイッチ４の全てを初期状態に設定する。本発明によれば、図１に示した本発明による光切替装置制御方法により光スイッチを制御するので、電源３のオン、オフに伴う雑音に起因して光スイッチ駆動回路２から誤った制御信号が送出され光スイッチ４に不本意な状態変化があった場合でも、光スイッチが稼働状態となる前に、全ての光スイッチを任意の初期状態に設定できる。従って、光スイッチが稼働状態となった際に、確実に所望の光スイッチ接続状態を実現できる。
【００１０】
図４に本発明による光切替装置制御方法の第２の実施例を示す。図４において、光切替装置制御方法は、光スイッチを駆動する駆動回路の電源がオンとなった後、光切替装置の下流に接続された光増幅器が停止していることを確認し、あるいは強制的に停止させ、続いて該光スイッチを任意の所定の初期状態となるよう設定し、さらに 光スイッチを稼働開始後、光増幅器の稼働を開始する。ここで、光スイッチの所定の初期状態への設定とは、図１の場合と同様である。光スイッチの稼働開始とは、伝送路情報や帯域管理あるいは保守情報に基づいて個別に光スイッチの制御を開始することを意味する。本発明によれば、電源のオン、オフに伴う雑音に起因して光スイッチ駆動回路から誤った制御信号が送出され光スイッチに不本意な状態変化があった場合でも、光スイッチが稼働状態となる前に、全ての光スイッチを任意の初期状態に設定できる。従って、光スイッチが稼働状態となった際に、確実に所望の光スイッチ接続状態を実現できる。さらに光信号が入力されないまま光増幅器が励起された状態となり、その後光信号が入力されることによって発生する光サージを防ぐことが可能となる。
【００１１】
図５に本発明による光切替装置の第３の実施例を示す。図５において光クロスコネクト装置１は、光スイッチ駆動回路２と、電源３と、光スイッチ４と、コントローラ５を備えており、光増幅器８と接続されている。コントローラ５は電源３がオン状態になったことを検出し、光増幅器８が停止していることを確認した後、あるいは強制的に停止させた後、光スイッチ駆動回路２に初期状態設定制御信号７を送出する。光スイッチ駆動回路２では、コントローラ５からの制御信号により、光スイッチ４の全てを初期状態に設定する。その後光スイッチ４の稼働を開始し、光増幅器８に光スイッチ４の稼働開始を通知する。本発明によれば、図４に示した本発明による光スイッチ制御方法により光スイッチを制御するので、電源３のオン、オフに伴う雑音に起因して光スイッチ駆動回路２から誤った制御信号が送出され光スイッチ４に不本意な状態変化があった場合でも、光スイッチが稼働状態となった際に、確実に所望の光スイッチ接続状態を実現でき、さらに後段に接続された光増幅器での光サージ発生を抑圧することができる。なお、本実施例ではコントローラ５は、光クロスコネクト装置に内蔵された場合を示したが、本発明の効果は、コントローラ５が光クロスコネクト装置の外部にあっても同様である。
【００１２】
図６に本発明による第４の実施例を示す。図６において光クロスコネクト装置１は、光スイッチ駆動回路２と、電源３と、光スイッチ４と、コントローラ５と、不揮発性メモリ１２とを備えている。本実施例は、図２に示す光クロスコネクト装置１に不揮発性メモリ１２を内蔵したものである。本発明によれば、電源３がオン状態になった後、コントローラ５が不揮発性メモリから光スイッチの電源オフの直前の状態、あるいは不揮発性メモリが最後に記憶した状態に関する情報を読み出す。コントローラ５は該読み出した情報により全ての光スイッチが初期設定される様、光スイッチ駆動回路２に制御信号を送出する。本発明によれば、電源のオン、オフに伴う雑音に起因して光スイッチ駆動回路から誤った制御信号が送出され光スイッチに不本意な状態変化があった場合でも、光スイッチが稼働状態となる前に、全ての光スイッチを不揮発性メモリに記憶されていた状態に初期設定できる。従って、光スイッチが稼働状態となった際に、確実に所望の光スイッチ接続状態を実現できる。
【００１３】
なお、本発明において、初期設定の対象となる光スイッチは、少なくとも電源がオン状態となった後に稼働する予定の光スイッチである。従って予備の光スイッチや、電源オン、オフにより誤動作する可能性が極めて低い光スイッチ駆動回路で駆動される光スイッチ、また、誤動作の可能性が低い光スイッチ等は、必ずしも初期設定の対象としなくとも良い。
【００１４】
また本発明による光切替装置及びその制御方法の対象となる光スイッチは、例えば
１入力２出力の光スイッチ単体でも良いし、多入力多出力の光スイッチでも良いし、また、これら光スイッチの集合体でも良い。
【００１５】
【発明の効果】
以上述べたように本発明によれば、光切替装置が稼働状態となる前に全ての光スイッチの状態を所定の初期状態に設定するよう光スイッチを制御することができる。従って、光スイッチの駆動回路に電力を供給する電源部のオン、オフに伴い発生した雑音により光スイッチに不本意な状態変更があった場合でも、光スイッチが稼働状態となった際に、初期設定の状態をベースに確実に所望の光スイッチ接続状態を実現でき、高信頼な光切替装置が実現できる。
【図面の簡単な説明】
【図１】本発明の光切替装置制御方法の第１の実施例を示す図である。
【図２】本発明の光切替装置の第１の実施例を示す図である。
【図３】本発明の光切替装置の第２の実施例を示す図である。
【図４】本発明の光切替装置制御方法の第２の実施例を示す図である。
【図５】本発明の光切替装置の第３の実施例を示す図である。
【図６】本発明の光切替装置の第４の実施例を示す図である。
【符号の説明】
１…光クロスコネクト装置、２…光スイッチ駆動回路、３…電源、４…光スイッチ、５…コントローラ、６…電源オン検出信号、７…初期状態設定制御信号、８…光増幅器、９…光信号、１０…光増幅器停止確認信号、１１…光増幅器稼働開始制御信号、１２…不揮発性メモリ、１３…光スイッチ状態情報。
【図１】
0003721250.tif 000002
【図２】
0003721250.tif 000003
【図３】
0003721250.tif 000004
【図４】
0003721250.tif 000005
【図５】
0003721250.tif 000006
【図６】
0003721250.tif 000007